(57)【要約】      （修正有）【課題】滑り止め機能を向上した浴槽台用マット及び浴槽台を提供する。【解決手段】浴槽台１００は、略板状の浴槽台用マット１０と、浴槽台本体２０と、を備えている。浴槽台用マット１０は、板状のマット本体部１１と、本体部１１に対して盛り上がった段差部１２とを有しているものである。また、浴槽台用マット１０は、シリコン、天然ゴム又は合成ゴムなどの軟弾性素材で成形されたものである。浴槽台本体２０は、本体２１と、本体２１を支持する４本の脚部２２と、脚部２２それぞれの先端に設けられた滑り止め部材２３と、本体２１の上部に取り付けられた座部２４とを備え、手前側の２本の脚部２２には、浴槽台用マット１０の穴部が装着され、該２本の脚部２２から遠ざかる方向に浴槽台用マット１０が延設されている。【選択図】図１
0003151650.tif 000002
【実用新案登録請求の範囲】
【請求項１】
軟弾性素材で成形され、浴槽台の脚部に取り付け可能な取付部が１以上設けられている略板状部材からなることを特徴とする浴槽台用マット。
【請求項２】
脚部を備えた浴槽台であって、
請求項１に記載の浴槽台用マットの取付部が前記脚部に取り付けられ、前記脚部から遠ざかる方向に前記浴槽台用マットが延設されていることを特徴とする浴槽台。
【考案の詳細な説明】
【技術分野】
【０００１】
本考案は、浴室内で使用される浴槽台用マット及び浴槽台に関する。
【背景技術】
【０００２】
従来から、浴槽台用マット及び浴槽台は公知となっている。例えば、下記特許文献１に、浴槽台用マットとしては、すべり止め体が表面に形成されているゴム製のマット本体と、その裏面に形成した一群の吸盤とを備えたものが開示されている。また、浴槽台としては、下記特許文献２に、台部と、該台部の四隅に取付けられている脚部とからなり、該脚部は外筒と、該外筒に内挿されている内筒とから構成されることによって伸縮して高さ調節可能とされており、該脚部の下端には固定のための吸盤が取付けられ、該吸盤の端部には紐またはチェインの一端が結合され、該紐またはチェインの他端は該脚部の伸縮の度合に対応して、該台部底面に内側から外側に向けて配列されている複数個の係合部に係合される浴槽台が開示されている。
【先行技術文献】
【特許文献】
【０００３】
【特許文献１】特開２００２−１０９３８号公報
【特許文献２】特開２００３−１８０５３９号公報
【考案の概要】
【考案が解決しようとする課題】
【０００４】
しかしながら、上記特許文献１に代表される従来のマットは、上記特許文献２に代表される浴槽台と別々に使用するものであり、より滑り止め機能を向上した浴槽台用マット及び浴槽台が望まれていた。
【０００５】
そこで、本考案の目的は、従来品に比べて、滑り止め機能を向上した浴槽台用マット及び浴槽台を得ることである。
【課題を解決するための手段】
【０００６】
（１）本考案の浴槽台用マットは、軟弾性素材で成形され、浴槽台の脚部に取り付け可能な取付部が１以上設けられている略板状部材からなるものである。
【０００７】
上記（１）の構成によれば、浴槽台の脚部に取り付けることで、従来品に比べて、滑り止め機能を向上することが可能な浴槽台用マットを提供できる。したがって、安全性が従来よりも向上した浴槽台用マットを提供できる。
【０００８】
（２）本考案の浴槽台は、脚部を備えた浴槽台であって、上記（１）に記載の浴槽台用マットの取付部が前記脚部に取り付けられ、前記脚部から遠ざかる方向に前記浴槽台用マットが延設されているものである。したがって、安全性が従来よりも向上した浴槽台を提供できる。
【０００９】
上記（１）の構成によれば、従来品に比べて、滑り止め機能を向上した浴槽台用マットを備えた浴槽台を提供できる。
【図面の簡単な説明】
【００１０】
【図１】本考案の実施形態に係る浴槽台用マット付き浴槽台を示した概略斜視図である。
【図２】図１に示した浴槽台用マット付き浴槽台の概略側面図である。
【図３】図１に示した浴槽台用マット付き浴槽台の概略底面図である。
【図４】図１に示した浴槽台用マットの概略上視図である。
【図５】図１に示した浴槽台用マットの概略背面図である。
【図６】図１に示した浴槽台用マットの一部拡大底面図である。
【考案を実施するための形態】
【００１１】
以下、図１〜図６を参照して、本考案の実施形態に係る浴槽台用マット付き浴槽台を説明する。
【００１２】
浴槽台用マット付き浴槽台１００は、図１〜図３に示したように、略板状の浴槽台用マット１０と、浴槽台本体２０と、を備えているものである。
【００１３】
浴槽台用マット１０は、図１及び図２に示したように、板状のマット本体部１１と、本体部１１に対して盛り上がった段差部１２とを有しているものである。また、浴槽台用マット１０は、シリコン、天然ゴム又は合成ゴムなどの軟弾性素材で成形されたものである。
【００１４】
マット本体部１１は、表面に略方眼状に形成された溝１１ａと、溝１１ａがクロスする点ごとに表面から底面に向かって貫くように形成された貫通孔１１ｂと、表面に溝１１ａより幅が狭くなるように且つ略方眼状に形成された溝１１ｃと、底面の所定範囲１４（図３参照）に形成された略菱形の凸部１５、１６（図６参照）と、凸部１５、１６の間に形成されている溝部１７とを有しているものである。
【００１５】
溝１１ａ、１１ｃにより、マット本体部１１表面は、より滑りにくくなっている。また、表面に形成された溝１１ａ、１１ｃに沿って、使用者が任意の大きさに切り取りやすくなっている。また、貫通孔１１ｂによって、マット本体部１１底面に付着した液体を表面に逃がすことができ、浴槽などの底にマット本体部１１が貼り付きやすくなる。
【００１６】
凸部１５、１６は一組のものであり、これを規則的に複数並列するように形成することで、溝部１７が形成されている。溝部１７は、水はけが良くなるように且つ滑りにくくなるように、力がかかりやすい方向に対して斜めとなるように形成されている。また、溝部１７の深さは３ｍｍ〜５ｍｍ程度となるように形成されている。また、凸部１５、１６の各外縁部は、弓なりに形成されているので、マット本体部１１の底面は、より滑りにくくなっている。
【００１７】
段差部１２の両端部のそれぞれには、図４に示したように、後述する浴槽台本体２０の脚部２２の２本のそれぞれが挿入される穴部１２ａ、１２ｂが形成されている。また、図５に示したように、段差部１２の底面部には波形状の凹凸部１３が形成されている。
【００１８】
浴槽台本体２０は、本体２１と、本体２１を支持する４本の脚部２２と、脚部２２それぞれの先端に設けられた滑り止め部材２３と、本体２１の上部に取り付けられた座部２４とを備えているものである。図１に示すように、手前側の２本の脚部２２には、浴槽台用マット１０の穴部１２ａ、１２ｂが装着され、該２本の脚部２２から遠ざかる方向に浴槽台用マット１０が延設されている。
【００１９】
各脚部２２は、断面が楕円型の外筒２２ａと、外筒２２ａの下側から内挿される内筒（図示せず）とを有しているものである。外筒２２ａの下端部には一個の孔２２ｂが設けられ、該内筒には短径方向に貫通している一対の孔（図示せず）が上下方向に複数設けられておいる。また、孔２２ｂと内筒に設けられた一対の孔のうちいずれか１つとを同時に貫通して支持することが可能であるとともに、抜き差し自在のピン本体２５ａを有したピン２５が、外筒２２ａ外周に設けられており、各脚部２２の高さ調節ができるようになっている。
【００２０】
滑り止め部材２３の底面には、図３に示したように、同心の複数の略楕円状の溝と、中心から放射状に形成された溝とが設けられており、滑りにくくなっている。座部２４は、表面に図示しない滑り止め用凹部が複数形成されている板状部材を、本体２１の上部に複数枚並列させて、平面状に設けたものである。なお、滑り止め部材２３及び座部２４は、シリコン、天然ゴム又は合成ゴムなどの軟弾性素材で成形されているものである。
【００２１】
本実施形態によれば、浴槽台本体２０の脚部２２に取り付けることで、従来品に比べて、滑り止め機能を向上することが可能な浴槽台用マット１０を提供できる。したがって、安全性が従来よりも向上した浴槽台用マット１０を提供できる。
【００２２】
また、従来品に比べて、滑り止め機能を向上した浴槽台用マット１０が取り付けられた浴槽台本体２０からなる浴槽台１００を提供できる。したがって、安全性が従来よりも向上した浴槽台１００を提供できる。
【００２３】
＜変形例＞
なお、本考案は、実用新案登録請求の範囲を逸脱しない範囲で設計変更できるものであり、上記実施形態などに限定されるものではない。例えば、上記実施形態においては、マット本体部１１底面の範囲１４にのみ、凸部１５、１６及び溝部１７を形成したものを示したが、マット本体部１１底面の他の部位に形成してもよいし、マット本体部１１底面全体に形成したものであってもよい。
【００２４】
また、上記実施形態においては、マット本体部１１底面に形成した凸部１５、１６及び溝部１７を用いたが、これらの代わりに、直線状の溝を縦横方向に形成又は単に斜め方向にクロスさせるように形成した滑り止め部を用いてもよい。また、凸部１５、１６は略菱形であるが、これに限られず、滑り止めとして有効な形状であれば、どのような形状であってもよい。
【００２５】
また、上記実施形態においては、断面が楕円型の外筒２２ａと、外筒２２ａの下側から内挿される内筒（図示せず）とを有した脚部２２を用いたが、この代わりに、断面が角形又は円形の外筒及び内筒を有した脚部を用いてもよい。
【００２６】
また、上記実施形態においては、段差部１２の両端部のそれぞれに設けた穴部１２ａ、１２ｂを用いて２本の脚部２２に取り付けることが可能な浴槽台用マット１０を示したが、穴部１２ａ、１２ｂが形成されている位置に、図示しないフック（鉤形の留め金状のもの）をそれぞれ固設し利用して、上記実施形態と同様、浴槽台用マット１０を２本の脚部２２に取り付けることができるようにしてもよいし、ベルト、ひも状部材又はマジックテープ（登録商標）を設けるとともに利用して、浴槽台用マット１０を２本の脚部２２に取り付けることができるようにしてもよい。
【００２７】
また、上記実施形態においては、段差部１２の両端部のそれぞれに設けた穴部１２ａ、１２ｂを用いて２本の脚部２２に取り付けることが可能な浴槽台用マット１０を示したが、この代わりに、穴部がどちらか一方のみの浴槽台用マットを用いてもよい。
【００２８】
また、上記実施形態においては、２本の脚部２２に取り付ける浴槽台用マット１０を示したが、この代わりに、４本の脚部２２に同時に取り付けることができるように、４つの穴部が該４本の脚部２２の位置に合わせて形成された浴槽台用マットを用いてもよい。これにより、より安定して設置できる浴槽台用マット及び浴槽台を提供できる。
【００２９】
また、上記実施形態においては、外縁が略四角状の浴槽台用マット１０を用いたが、この形状に限られず、適宜、浴室内の用途に合わせた形状にしてもよい。
【００３０】
また、上記実施形態の浴槽台用マットにおける段差部１２は、２本の脚部２２の間においてマット本体部１１表面よりも盛り上がる形状となるように形成されているが、この代わりに、段差部が各穴部の周囲のみに設けられ、該穴部間がマット本体部と一体の平面状に形成された浴槽台用マットとしてもよい。これにより、段差部を使用者が間違って踏むのを抑制することができる。
【符号の説明】
【００３１】
１０    浴槽台用マット
１１    マット本体部
１１ａ、１１ｃ    溝
１１ｂ    貫通孔
１２    段差部
１２ａ、１２ｂ  穴部
１３    凹凸部
１５、１６    凸部
１７    溝部
２０    浴槽台本体
２１    本体
２２    脚部
２２ａ    外筒
２２ｂ    孔
２３    滑り止め部材
２４    座部
２５    ピン
２５ａ    ピン本体
１００    浴槽台
【図１】
0003151650.tif 000003
【図２】
0003151650.tif 000004
【図３】
0003151650.tif 000005
【図４】
0003151650.tif 000006
【図５】
0003151650.tif 000007
【図６】
0003151650.tif 000008